(57)【特許請求の範囲】
【請求項１】
複数の光通信路の夫々を通じて伝送される通信光の一部を漏洩光として取り出すための複数の通信光可視化アダプタと、
複数の前記通信光可視化アダプタが実装されるパネルと、
複数の前記通信光可視化アダプタを通じて取り出される前記漏洩光の夫々を受光して複数の前記光通信路の夫々における通信状況を検知するための複数の受光素子とその結果を人間が目視確認できる形態で出力するための複数の発光素子とが一括して実装される通信光検知回路と、
前記パネルに設置されると共に給電部が電気的に接続されて前記通信光検知回路に電源を供給するための給電ポートと、
を備え、
前記パネルは、前面側パネル部品と、前記前面側パネル部品の背面に所定の隙間を隔てて取り付けられる背面側パネル部品と、を有し、
前記前面側パネル部品は、前記前面側パネル部品と前記背面側パネル部品との間に内蔵される前記通信光検知回路の前記発光素子の光を表面側から確認可能とするための表示孔と、を有している
ことを特徴とする通信光可視化パッチパネル。
【請求項２】
複数の前記通信光可視化アダプタは、並列配列で実装される請求項１に記載の通信光可視化パッチパネル。
【発明の詳細な説明】
【技術分野】
【０００１】
本発明は、光通信路における通信状況の目視確認を目的として光通信路を通じて伝送される通信光の可視化を実現する通信光可視化パッチパネルに関する。
【背景技術】
【０００２】
従来より、光通信関連設備においては、光通信路における通信状況（例えば、光通信路が使用中であるか否か）の目視確認を目的として光通信路を通じて伝送される通信光の可視化を実現する通信光可視化技術が採用されている。
【０００３】
通信光可視化技術としては、例えば、光通信路を通じて伝送される通信光の一部を漏洩光として取り出すための通信光可視化アダプタと、通信光可視化アダプタを通じて取り出される漏洩光を受光して光通信路における通信状況を検知すると共にその結果を人間が目視確認できる形態で出力するための通信光検知器と、を備える通信光可視化構造が知られている（例えば、特許文献１乃至５を参照）。
【先行技術文献】
【特許文献】
【０００４】
【特許文献１】特開２００９−１４５６７６号公報
【特許文献２】特開２０１０−２３１０８２号公報
【特許文献３】特開２０１１−０１３３５９号公報
【特許文献４】特開２０１１−０１３３６０号公報
【特許文献５】特開２０１３−２２８６７８号公報
【発明の概要】
【発明が解決しようとする課題】
【０００５】
しかしながら、通信光可視化構造においては、光通信路における通信状況の目視確認を行う際に、作業者が通信光検知器を通信光可視化アダプタに嵌挿する必要があるため、作業負担が大きく、また作業空間や嵌挿空間が必要となるため、通信光可視化アダプタの高密度実装を目指す上で障害となっている。
【０００６】
本発明の目的は、作業負担を軽減すると共に通信光可視化アダプタの高密度実装を実現することが可能な通信光可視化パッチパネルを提供することにある。
【課題を解決するための手段】
【０００７】
本発明は、複数の光通信路の夫々を通じて伝送される通信光の一部を漏洩光として取り出すための複数の通信光可視化アダプタと、複数の前記通信光可視化アダプタが実装されるパネルと、複数の前記通信光可視化アダプタを通じて取り出される前記漏洩光の夫々を受光して複数の前記光通信路の夫々における通信状況を検知するための複数の受光素子とその結果を人間が目視確認できる形態で出力するための複数の発光素子とが一括して実装される通信光検知回路と、前記パネルに設置されると共に給電部が電気的に接続されて前記通信光検知回路に電源を供給するための給電ポートと、を備える通信光可視化パッチパネルである。
【０００８】
複数の前記通信光可視化アダプタは、並列配列で実装されることが望ましい。
【発明の効果】
【０００９】
本発明によれば、作業負担を軽減すると共に通信光可視化アダプタの高密度実装を実現することが可能な通信光可視化パッチパネルを提供することができる。
【図面の簡単な説明】
【００１０】
【図１】本発明の実施の形態に係る通信光可視化パッチパネルの構造を示す前面側斜視図である。
【図２】本発明の実施の形態に係る通信光可視化パッチパネルの構造を示す背面側斜視図である。
【図３】図１の要部拡大図である。
【発明を実施するための形態】
【００１１】
以下、本発明の実施の形態を添付図面に順って説明する。
【００１２】
図１，２に示す通り、本発明の実施の形態に係る通信光可視化パッチパネル１００は、複数の光通信路の夫々を通じて伝送される通信光の一部を漏洩光として取り出すための複数の通信光可視化アダプタ１０１と、複数の通信光可視化アダプタ１０１が実装されるパネル１０２と、複数の通信光可視化アダプタ１０１を通じて取り出される漏洩光の夫々を受光して複数の光通信路の夫々における通信状況を検知するための複数の受光素子（不図示）とその結果を人間が目視確認できる形態で出力するための複数の発光素子（不図示）とが一括して実装される通信光検知回路（不図示）と、パネル１０２に設置されると共に給電部１０３が電気的に接続されて通信光検知回路に電源を供給するための給電ポート１０４と、を備えている。
【００１３】
通信光可視化アダプタ１０１は、例えば、光ファイバからなる光通信路を光学的に接続するための２つのＳＣフェルールを内蔵している。２つのＳＣフェルールの夫々は、両端に研磨が施されており、光通信路の光軸をずらすために少しだけずらして突き合わせ接続されている。これにより、光通信路を通じて伝送される通信光の一部を漏洩光として取り出すことが可能となる。
【００１４】
また、通信光可視化アダプタ１０１は、漏洩光を通信光可視化アダプタ１０１の内部から外部に向けて導光して取り出すための光取出孔を有しており、通信光検知回路は、その光取出孔の夫々に複数の受光素子の夫々が嵌挿されるようにパネル１０２に内蔵されている。
【００１５】
パネル１０２は、帯板１０５の両端部１０６が略９０°に屈曲されて形成される前面側パネル部品１０７と、前面側パネル部品１０７の背面に所定の隙間を隔てて取り付けられる平板状の背面側パネル部品１０８と、を有している。
【００１６】
前面側パネル部品１０７は、前述の給電ポート１０４の他にも、帯板１０５の両端部１０６に形成されると共にパネル１０２を配線収容棚やサーバラック等に固定するための螺子通孔１０９を有している。
【００１７】
また、前面側パネル部品１０７は、図３に示す通り、所定の配列（例えば、並列配列）で穿設されると共に通信光可視化アダプタ１０１を実装するための前面側実装口１１０と、前面側パネル部品１０７と背面側パネル部品１０８との間に内蔵される通信光検知回路の発光素子の光を表面側から確認可能とするための表示孔１１１と、を有している。
【００１８】
背面側パネル部品１０８は、前面側実装口１１０と対応して所定の配列（例えば、並列配列）で穿設されると共に通信光可視化アダプタ１０１を実装するための背面側実装口１１２を有している。
【００１９】
これらにより、複数の通信光可視化アダプタ１０１は、前面側実装口１１０と背面側実装口１１２の配列に対応して所定の配列（例えば、並列配列）で実装されることになる。
【００２０】
また、前面側パネル部品１０７は、両端部１０６の上面側の一部が屈曲されて形成される座部１１３と、帯板１０５の上面部が屈曲されて形成される抑え部１１４と、を有しており、背面側パネル部品１０８は、平板状の上面部が屈曲されて形成される被支持部１１５を有している。
【００２１】
背面側パネル部品１０８を前面側パネル部品１０７に取り付ける際は、背面側パネル部品１０８の被支持部１１５を座部１１３と抑え部１１４との間に挿入して支持させる。これにより、背面側パネル部品１０８を前面側パネル部品１０７に着脱自在に取り付けることができるため、通信光可視化アダプタや通信光検知回路の分解整備を容易に実施することが可能となる。
【００２２】
給電部１０３は、例えば、携帯型バッテリやコンセント等からなり、給電コード１１６を通じて給電ポート１０４に電気的且つ着脱自在に接続されている。これにより、光通信路における通信状況の目視確認を行う必要がある時にのみ給電をすることができるため、消費電力の削減に寄与することが可能となる。
【００２３】
以上の通り、通信光可視化パッチパネル１００によれば、給電部１０３を給電ポート１０４に電気的に接続している間は、何の作業も無しに複数の光通信路の夫々における通信状況を一括して検知することができるため、光通信路における通信状況を検知する際の作業負担を軽減することが可能となる。
【００２４】
また、通信光可視化パッチパネル１００によれば、従来の通信光可視化構造のように、通信光検知器を通信光可視化アダプタ１０１に嵌挿する必要が無く、作業空間や嵌挿空間を必要とせず、複数の通信光可視化アダプタ１０１を実装密度の高い並列配列で実装することができるため、通信光可視化アダプタ１０１の高密度実装を実現することが可能となる。
【符号の説明】
【００２５】
１００  通信光可視化パッチパネル
１０１  通信光可視化アダプタ
１０２  パネル
１０３  給電部
１０４  給電ポート
１０５  帯板
１０６  両端部
１０７  前面側パネル部品
１０８  背面側パネル部品
１０９  螺子通孔
１１０  前面側実装口
１１１  表示孔
１１２  背面側実装口
１１３  座部
１１４  抑え部
１１５  被支持部
１１６  給電コード
【図１】
0006690231.tif 000002
【図２】
0006690231.tif 000003
【図３】
0006690231.tif 000004